(57)【要約】      （修正有）【課題】乳幼児の成長に合わせて自在に変形調整できる乳幼児用衣類を提供する。【解決手段】新生児の肩から脚まで全体を覆う丈を有する後身頃２と、この後身頃２の片側に繋がり新生児の肩から脚まで全体を覆う丈を有する下前身頃４と、後身頃２の他側に繋がり新生児の肩から脚まで全体を覆う丈を有する上前身頃６と、後身頃２および下前身頃４に繋がる一方の袖部７と、後身頃２および上前身頃４に繋がる他方の袖部８とからなり、後身頃２は脚を覆う部分において左右の幅方向中央において割れており、下前身頃４の下部における遊端部および上前身頃６の下部における遊端部にはそれぞれ上下方向に適当間隔をおいて４箇所以上に留めホック１２ａ，１２ｂが取り付けられ、後身頃２の脚を覆う部分における分割されている両遊端部にはそれぞれ上下方向に適当間隔をおいて３箇所以上に留めホック１２ａ，１２ｂが取り付けられている。【選択図】図１
0003153431.tif 000002
【実用新案登録請求の範囲】
【請求項１】
新生児の肩から脚まで全体を覆う丈を有する後身頃と、この後身頃の片側に繋がり新生児の肩から脚まで全体を覆う丈を有する下前身頃と、後身頃の他側に繋がり新生児の肩から脚まで全体を覆う丈を有する上前身頃と、前記後身頃および下前身頃に繋がる一方の袖部と、後身頃および上前身頃に繋がる他方の袖部とからなり、全体的に下端裾部に向って幅広状となるように作られており、前記後身頃は脚を覆う部分において左右の幅方向中央において割れており、前記下前身頃の下部における遊端部および上前身頃の下部における遊端部にはそれぞれ上下方向に適当間隔をおいて４箇所以上に留めホックが取り付けられ、さらには前記後身頃の脚を覆う部分における分割されている両遊端部にはそれぞれ上下方向に適当間隔をおいて３箇所以上に留めホックが取り付けられており、下前身頃側の留めホックおよび上前身頃の後側に位置する後身頃の脚を覆う部分における分割されている遊端部側の留めホックは雄型もしくは雌型の留めホックであって、下前身頃側の留めホックの係合部は表側に向き、後身頃側の留めホックの係合部は裏側に向いており、さらに上前身頃側の留めホックおよび下前身頃の後側に位置する後身頃の脚を覆う部分における分割されている遊端部側の留めホックは雌型もしくは雄型の留めホックであって、上前身頃側の留めホックの係合部は裏側に向き、後身頃側の留めホックの係合部は表側に向いていることを特徴とする乳幼児用衣類。
【考案の詳細な説明】
【技術分野】
【０００１】
本考案は、乳幼児の成長に合わせて自在に変形調整できる乳幼児用衣類に関するものである。
【背景技術】
【０００２】
従来の乳幼児服としては例えば特許文献１に開示されているように、股間部および両脚内側部において表側部分と裏側部分とが前後に分離可能に設けられている乳幼児服において、前記股間部における表側部分と裏側部分との接合手段が面ファスナであり、前記両脚内側部における表側部分と裏側部分との接合手段が留めボタンである乳幼児服が知られている。
【先行技術文献】
【特許文献】
【０００３】
【特許文献１】特開２００５−３０７３６６号公報
【考案の概要】
【考案が解決しようとする課題】
【０００４】
上記特許文献１に開示されている乳幼児服はおむつ交換が容易となるように作られたものであって、両脚内側部における表側部分と裏側部分との接合手段が留めボタンである所謂ズボン型の服である。
【０００５】
上記特許文献１に開示されている乳幼児服の場合、股間部を備えたズボン型であるために、乳幼児が成長すると肩と股との間の寸法が短くなり、服が着れなくなるという課題があった。
【０００６】
本考案の目的は、このような課題を解決するものであり、乳幼児の成長に合わせて自在に変形調整できる乳幼児用衣類を提供することにある。
【課題を解決するための手段】
【０００７】
本考案の請求項１に記載の乳幼児用衣類は、新生児の肩から脚まで全体を覆う丈を有する後身頃と、この後身頃の片側に繋がり新生児の肩から脚まで全体を覆う丈を有する下前身頃と、後身頃の他側に繋がり新生児の肩から脚まで全体を覆う丈を有する上前身頃と、前記後身頃および下前身頃に繋がる一方の袖部と、後身頃および上前身頃に繋がる他方の袖部とからなり、全体的に下端裾部に向って幅広状となるように作られており、前記後身頃は脚を覆う部分において左右の幅方向中央において割れており、前記下前身頃の下部における遊端部および上前身頃の下部における遊端部にはそれぞれ上下方向に適当間隔をおいて４箇所以上に留めホックが取り付けられ、さらには前記後身頃の脚を覆う部分における分割されている両遊端部にはそれぞれ上下方向に適当間隔をおいて３箇所以上に留めホックが取り付けられており、下前身頃側の留めホックおよび上前身頃の後側に位置する後身頃の脚を覆う部分における分割されている遊端部側の留めホックは雄型もしくは雌型の留めホックであって、下前身頃側の留めホックの係合部は表側に向き、後身頃側の留めホックの係合部は裏側に向いており、さらに上前身頃側の留めホックおよび下前身頃の後側に位置する後身頃の脚を覆う部分における分割されている遊端部側の留めホックは雌型もしくは雄型の留めホックであって、上前身頃側の留めホックの係合部は裏側に向き、後身頃側の留めホックの係合部は表側に向いていることを特徴とする。
【考案の効果】
【０００８】
以上のように、本考案の乳幼児用衣類は、乳幼児の成長に合わせてドレス状からズボン状へと形を変え、ズボン状にした場合でも股上位置を変えることが可能であり、新生児から生まれて６ヶ月以上使用できる乳幼児用衣類を提供できるものである。
【図面の簡単な説明】
【０００９】
【図１】本考案の一実施の形態における乳幼児用衣類の前開き状態を示す斜視図である。
【図２】同下前身頃を閉じた状態を示す斜視図である。
【図３】同乳幼児用衣類を新生児に着せた状態を示す正面図である。
【図４】同乳幼児用衣類を生後２ヶ月位の乳幼児に着せた状態を示す正面図である。
【図５】同乳幼児用衣類を生後６ヶ月位の乳幼児に着せた状態を示す正面図である。
【考案を実施するための形態】
【００１０】
以下、本考案の一実施の形態を、図１〜図５を用いて具体的に説明する。
図において、１は平均的な大きさの身体の新生児に着せたときに肩から脚まで全体を覆う丈を有する後身頃２と、この後身頃２の片側に側身頃３を介して縫着により繋がり肩から脚を覆う丈を有する下前身頃４と、後身頃２の他側に側身頃５を介して縫着により繋がり肩から脚を覆う丈を有する上前身頃６と、前記後身頃２および下前身頃４、側身頃３に繋がるように縫着により取り付けられた一方の袖部７と、後身頃２および上前身頃６、側身頃５に繋がるように縫着により取り付けられた他方の袖部８とからなり、全体的に下端裾部に向って幅広状となるように作られている乳幼児用衣類である。そして、前記後身頃２は脚を覆う部分において左右の幅方向中央において割れており、また、下前身頃４は下端裾部が後身頃２の下端裾部の片側部に合致する幅で、その下端裾部から前記他方の袖部８に向って緩やかな角度で傾斜しており、下前身頃４上端における遊端部に縫着により設けた留め紐９を前記他方の袖部８との縫着部に近い上前身頃６に縫着により設けた留め紐１０に結ぶことができるように構成されている。また、上前身頃６は下端裾部が後身頃２の下端裾部の他側部に合致する幅で、その下端裾部から一方の袖部７に向って緩やかな角度で傾斜しており、その上端において下前身頃４に対して面ファスナー１１ａ，１１ｂを介して閉じることができるようになっている。
【００１１】
さらに、前記下前身頃４の下部における遊端部および上前身頃６の下部における遊端部にはそれぞれ上下方向に適当間隔をおいて４箇所づつ留めホック１２ａ，１２ｂが取り付けられている。また、前記後身頃２の脚を覆う部分における分割されている両遊端部にはそれぞれ上下方向に適当間隔をおいて３箇所づつ留めホック１２ａ，１２ｂが取り付けられている。詳しくは、下前身頃４側の留めホックおよび上前身頃６の後側に位置する後身頃２の脚を覆う部分における分割されている遊端部側の留めホックは雄型の留めホック１２ａであって、下前身頃４側の留めホック１２ａの雄型係合部は表側に向き、後身頃２側の留めホック１２ａの雄型係合部は裏側に向いている。また、上前身頃６側の留めホックおよび下前身頃４の後側に位置する後身頃２の脚を覆う部分における分割されている遊端部側の留めホックは雌型の留めホック１２ｂであって、上前身頃６側の留めホック１２ｂの雌型係合部は裏側に向き、後身頃２側の留めホック１２ｂの雌型係合部は表側に向いている。
【００１２】
上記構成の乳幼児用衣類１を新生児１３に着せる場合は、新生児１３の身体を包むように前記留め紐９および１０を結ぶとともに面ファスナー１１ａおよび１１ｂを係止させて下前身頃４の上から上前身頃６を重ねた状態にし、その後、後身頃２側において前記分割されている両遊端部の留めホック１２ａと留めホック１２ｂとを係合させるとともに、下前身頃４の両遊端部の留めホック１２ａと上前身頃６の留めホック１２ｂとを係合させて乳幼児用衣類１をドレス状に形作る（図３参照）。
【００１３】
生まれて２ヶ月程度までは上記のドレス状のままで使用すれば良いが、乳幼児１４が乳幼児用衣類１の裾から脚が一部出るまで身体が大きく成長する生まれて３ヶ月位になると一番上の留めホックの位置では下前身頃４の留めホック１２ａと上前身頃６の留めホック１２ｂとを係合させ、他の３箇所の留めホックの位置では下前身頃４側の留めホック１２ａとこの下前身頃４の後側に位置する後身頃２の遊端部側の留めホック１２ｂとを係合させ、また上前身頃６側の留めホック１２ｂとこの上前身頃６の後側に位置する後身頃２の遊端部側の留めホック１２ａとを係合させ、一番上の留めホックを除く位置で乳幼児用衣類１をズボン状に形作る（図４参照）。
【００１４】
さらに、乳幼児１５が乳幼児用衣類１の裾から脚が大きく出るまで身体が大きく成長する生まれて６ヶ月位になると一番上とそのすぐ下の留めホックの位置では後身頃２側において前記分割されている両遊端部の留めホック１２ａと留めホック１２ｂとを係合させるとともに、下前身頃４の遊端部の留めホック１２ａと上前身頃６の留めホック１２ｂとを係合させ、他の２箇所の留めホックの位置では下前身頃４側の留めホック１２ａとこの下前身頃４の後側に位置する後身頃２の遊端部側の留めホック１２ｂとを係合させ、また上前身頃６側の留めホック１２ｂとこの上前身頃６の後側に位置する後身頃２の遊端部側の留めホック１２ａとを係合させ、一番上およびそのすぐ下の留めホックを除く位置で乳幼児用衣類１をズボン状に形作る（図５参照）。
【００１５】
つまり、乳幼児が成長して股上寸法が伸びるにつれて図３〜図５に示すように乳幼児用衣類１の形を変え、特に図４および図５に示すように股上寸法の成長に合わせてズボン状にする場合の股上位置を変えることにより、新生児から生まれて６ヶ月以上使用できる乳幼児用衣類を提供できるものである。なお、新生児から生まれて６ヶ月以上使用できる乳幼児用衣類とするためには当然横幅もゆとりのあるように作られている。
【００１６】
ところで、前記下前身頃４の下部における遊端部および上前身頃６の下部における遊端部にはそれぞれ上下方向に適当間隔をおいて４箇所づつ留めホック１２ａ，１２ｂが取り付けられているが、５箇所もしくは６箇所であっても良く、また、前記後身頃２の脚を覆う部分における分割されている両遊端部にはそれぞれ上下方向に適当間隔をおいて３箇所づつ留めホック１２ａ，１２ｂが取り付けられているが、４箇所もしくは５箇所であっても良い。また、下前身頃４側の留めホックおよび上前身頃６の後側に位置する後身頃２の脚を覆う部分における分割されている遊端部側の留めホックを雌型の留めホックとし、上前身頃６側の留めホックおよび下前身頃４の後側に位置する後身頃２の脚を覆う部分における分割されている遊端部側の留めホックを雄型の留めホックとしても良い。
【産業上の利用可能性】
【００１７】
本考案の乳幼児用衣類は、乳幼児の成長に合わせて自在に変形調整できる乳幼児用衣類である。
【符号の説明】
【００１８】
１              乳幼児用衣類
２              後身頃
３              側身頃
４              下前身頃
５              側身頃
６              上前身頃
７，８          袖部
９，１０        留め紐
１１ａ，１１ｂ    面ファスナー
１２ａ，１２ｂ    留めホック
【図１】
0003153431.tif 000003
【図２】
0003153431.tif 000004
【図３】
0003153431.tif 000005
【図４】
0003153431.tif 000006
【図５】
0003153431.tif 000007